(57)【要約】【課題】入力データのシステム内での位置付けと、そのデータの処理状況が把握でき、タイムリーなデータ入力が可能な環境情報入力方法が求められている。【解決手段】使用するエネルギー資源の種別と消費量、及び廃棄物と廃棄量の分析評価処理を行う複数のメイン処理プロセスメニューと、そのメイン処理プロセスメニュー毎の複数のサブ処理プロセスメニューとからなる環境評価システムにおいて、エネルギー資源の消費量と廃棄物分析評価処理状況を表示する画面１１に、複数のメイン処理プロセスメニューを表示させるメインプロセスメニュー表示領域１４と、このメインプロセスメニューから選択されたメインプロセスメニューの複数のサブ処理プロセスメニューを表示させるサブプロセスメニュー表示領域１５と、このサブプロセスメニューから選択されたサブプロセスメニューの情報入力を表示させる情報入力表示領域１６からなる環境情報入力方法。【選択図】      図１
2005025354.tif 000002
【特許請求の範囲】
【請求項１】
製品の製造加工に用いる各種エネルギー資源の種別と消費量算出、及び廃棄物の分析と廃棄量算出等の処理を行うための複数のメイン処理プロセスメニューと、そのメイン処理プロセスメニュー毎に設けられた複数のサブ処理プロセスメニューとからなる環境評価システムと、
この環境評価システムにより分析評価される製品製造に係るエネルギー資源の消費量及び廃棄物と廃棄量の分析評価までの処理状況を表示する表示手段と、
前記環境評価システムを構成する複数のメイン処理プロセスメニューを前記表示手段のメインプロセスメニュー表示領域に表示させるメインプロセスメニュー表示手段と、
このメインプロセスメニュー表示手段により前記表示手段のメインプロセスメニュー表示領域に表示された複数のメイン処理プロセスメニューから選択されたメイン処理プロセスメニューの複数のサブ処理プロセスメニューを前記表示手段のサブプロセスメニュー表示領域に表示させるサブプロセスメニュー表示手段と、
このサブプロセスメニュー表示手段により前記表示手段のサブプロセスメニュー表示領域に表示された複数のサブ処理プロセスメニューから選択されたサブ処理プロセスメニューにおける入力や評価等の情報入力項目を前記表示手段の情報入力表示領域に表示させる情報入力表示手段と、
この情報入力表示手段により前記表示手段の情報入力表示領域に表示された情報入力項目に従い前記製品製造に関わるエネルギー資源情報を入力する情報入力手段と、
を具備することを特徴した環境情報入力方法。
【請求項２】
前記メインプロセスメニュー表示手段と前記サブプロセスメニュー手段とで前記表示手段に表示されるメイン処理プロセスメニューとサブ処理プロセスメニューは、それぞれの処理手順に従って表示されることを特徴とした請求項１記載の環境情報入力方法。
【請求項３】
前記サブプロセスメニュー手段で前記表示手段に表示されているサブプロセスメニュー表示領域を縮小、または最小化して、前記情報入力表示手段で表示手段に表示されている情報入力表示領域を拡大表示させることを特徴とした請求項１記載の環境情報入力方法。
【請求項４】
前記表示手段のサブプロセスメニュー表示領域に表示されているあるメイン処理プロセスメニューの複数のサブ処理プロセスメニューを順次選択して、最後のサブ処理プロセスメニューを選択し、その処理項目への情報入力が終了すると、次のメイン処理プロセスメニューの複数のサブ処理プロセスメニューが表示されることを特徴とした請求項１記載の環境情報入力方法。
【請求項５】
前記表示手段のメインプロセスメニュー表示領域に表示されているメイン処理プロセスメニューをダブルクリックすると、そのダブルクリックしたメイン処理プロセスメニューの情報入力や処理方法のヘルプ情報が前記表示手段の情報入力表示領域に表示されることを特徴とした請求項１乃至４のいずれかに記載の環境情報入力方法。
【発明の詳細な説明】
【０００１】
【発明の属する技術分野】
本発明は、製品を構成する各種部品や製品の製造加工時に用いるエネルギー資源の消費量算出と、そのエネルギー資源の消費により生ずる廃棄物の分析と廃棄量算出、及びそれら消費資源量と廃棄量の評価等の処理を行う環境評価システムにおいて、前記製品の製造に関わるエネルギー資源や消費量等の情報入力が容易に行える環境情報入力方法に関する。
【０００２】
【従来の技術】
近年、資源の有効活用と地球環境の保護のために、例えば、各種製品やその製品を構成する部品等の高いリサイクル性が求められ、かつ、それら製品や部品製造時に使用される各種エネルギー資源の消費により生じる廃棄物の地球環境への影響を最小化する努力が払われている。
【０００３】
これら製品や部品の製造において、消費されるエネルギー資源の管理と評価には、それら製品や部品毎や製造工程に消費されるエネルギー資源毎に消費量が計測され、その計測されたエネルギー資源毎の消費量を基に、廃棄される廃棄物の特定と廃棄量等を演算する環境管理システムが用いられている。
【０００４】
この環境管理システムは、コンピュータ機器を用いて、計測収集したエネルギー資源である、例えば、電力、水、蒸気、ガス、各種石油製品、及び化学薬品等の消費量を製品や部品等の製造ラインと製造工程毎に集計し、その集計結果から廃棄される廃棄物と廃棄量の演算分析を行い、かつ、その演算分析結果と過去の実績等から設定されている目標値との比較により現在の消費量の評価を行うようになっている。
【０００５】
【発明が解決しようとする課題】
従来の環境管理システムは、製品や部品等の製造ラインと製造工程毎に消費されたエネルギー資源を計測検出し、その計測検出した製造ラインや製造工程毎のエネルギー資源のデータを入力し、その入力されたデータを基に、エネルギー資源の種別やその種別毎の消費量の算出、及び消費量から廃棄物の分析と廃棄量の算出、並びに過去の廃棄物毎の廃棄量経緯との比較や目標値の比較等による現在の廃棄の評価等が行われるようになっている。
【０００６】
このような環境管理システムは、各製造ラインや製造工程毎で消費するエネルギー資源の消費量を自動的に計測検出して、前記環境管理システムに取り込むと共に、自動的に計測検出できないエネルギー資源については、作業員が直接計測メータから消費量を読み取り前記環境管理システムに入力していた。
【０００７】
この自動的に計測検出されて、前記環境管理システムに取り込んだエネルギー資源の消費量データと、作業員が直接検針収集したエネルギー資源の消費量データとを前記環境管理システムに入力し、その入力されたデータの基で、各種データの集計蓄積保管、消費量の算出、廃棄物毎の廃棄量の算出、算出された廃棄量の評価、及び将来のエネルギー資源の使用計画作成等の各種処理が実行される。
【０００８】
しかし、作業員が現在入力しているデータは、この環境管理システムで処理されるどの処理に関わるデータであり、データ入力後にそのデータがどのような処理が行われるか開示されないために、作業員はデータの重複入力を行ったり、データ入力のタイミングを間違えたりして、きめ細かな管理と評価が得られない課題があった。
【０００９】
本発明は、このような事情に鑑みなされたもので、現在入力されているデータのシステム内における位置づけと、その入力されたデータの処理状況が容易に把握でき、タイムリーに的確なデータの入力が可能な環境情報入力方法を提供することを目的としている。
【００１０】
【課題を解決するための手段】
本発明の環境情報入力方法は、製品の製造加工に用いる各種エネルギー資源の種別と消費量算出、及び廃棄物の分析と廃棄量算出等の処理を行うための複数のメイン処理プロセスメニューと、そのメイン処理プロセスメニュー毎に設けられた複数のサブ処理プロセスメニューとからなる環境評価システムと、この環境評価システムにより分析評価される製品製造に係るエネルギー資源の消費量及び廃棄物と廃棄量の分析評価までの処理状況を表示する表示手段と、前記環境評価システムを構成する複数のメイン処理プロセスメニューを前記表示手段のメインプロセスメニュー表示領域に表示させるメインプロセスメニュー表示手段と、このメインプロセスメニュー表示手段により前記表示手段のメインプロセスメニュー表示領域に表示された複数のメイン処理プロセスメニューから選択されたメイン処理プロセスメニューの複数のサブ処理プロセスメニューを前記表示手段のサブプロセスメニュー表示領域に表示させるサブプロセスメニュー表示手段と、このサブプロセスメニュー表示手段により前記表示手段のサブプロセスメニュー表示領域に表示された複数のサブ処理プロセスメニューから選択されたサブ処理プロセスメニューにおける入力や評価等の情報入力項目を前記表示手段の情報入力表示領域に表示させる情報入力表示手段と、この情報入力表示手段により前記表示手段の情報入力表示領域に表示された情報入力項目に従い前記製品製造に関わるエネルギー資源情報を入力する情報入力手段と、を具備することを特徴している。
【００１１】
本発明の環境情報入力方法の前記メインプロセスメニュー表示手段と前記サブプロセスメニュー手段とで前記表示手段に表示されるメイン処理プロセスメニューとサブ処理プロセスメニューは、それぞれの処理手順に従って表示されることを特徴としている。
【００１２】
本発明の環境情報入力方法の前記サブプロセスメニュー手段で前記表示手段に表示されているサブプロセスメニュー表示領域を縮小、または最小化して、前記情報入力表示手段で表示手段に表示されている情報入力表示領域を拡大表示させることを特徴としている。
【００１３】
本発明の環境情報入力方法の前記表示手段のサブプロセスメニュー表示領域に表示されているあるメイン処理プロセスメニューの複数のサブ処理プロセスメニューを順次選択して、最後のサブ処理プロセスメニューを選択し、その処理項目への情報入力が終了すると、次のメイン処理プロセスメニューの複数のサブ処理プロセスメニューが表示されることを特徴としている。
【００１４】
本発明の環境情報入力方法の前記表示手段のメインプロセスメニュー表示領域に表示されているメイン処理プロセスメニューをダブルクリックすると、そのダブルクリックしたメイン処理プロセスメニューの情報入力や処理方法のヘルプ情報が前記表示手段の情報入力表示領域に表示されることを特徴としている。
【００１５】
本発明の環境情報入力方法は、現在入力している情報が環境評価システムを構成する複数のメイン処理プロセスと、そのメイン処理プロセスを構成する複数のサブ処理プロセスの中の位置づけと、その入力されたデータの処理状況が容易に把握でき、タイムリーに的確なデータの入力が可能となった。
【００１６】
【発明の実施の形態】
以下、図面を参照して本発明の実施の形態について詳細に説明する。図１は本発明に係る環境情報入力方法の一実施形態である情報入力用の画面構成を示す平面図、図２は本発明に係る環境情報入力方法の一実施形態である情報入力用の画面において、ある処理プロセスの情報入力状態を説明する説明図、図３は本発明に係る環境情報入力方法の一実施形態である情報入力用の画面に情報入力ヘルプ情報を表示する状態を説明する説明図である。
【００１７】
本発明の環境情報入力方法は、例えば、製品製造を行う工場において、製品を製造する際に、消費される電力、水、蒸気、ガス、各種石油製品、及び化学薬品等のエネルギー資源情報等から、製品製造時における地球環境への影響を演算評価するコンピュータ機器を用いた環境評価システムに用いられる。
【００１８】
この環境評価システムにおいて、例えば、環境評価するユーザの設定登録、製造する製品の登録または設定、製造される製品の環境評価、環境評価結果の帳票出力、及びオプション設定などの複数のメイン処理プロセスと、その各メイン処理プロセス毎に複数のサブ処理プロセスがコンピュータ機器に展開されて、所望の環境評価がされるようになっている。
【００１９】
つまり、製造される製品の入力設定、その製品製造に用いる製造ラインや工程の設定、その製造ラインや工程で用いるエネルギー資源の設定、そのエネルギー資源の使用量データの入力、使用したエネルギー資源からの廃棄物と廃棄量の分析と算出、算出された廃棄物の目標値と過去からのトレンドとの比較評価、及び将来のエネルギー資源の使用計画の作成などの環境管理が行われるようになっている。
【００２０】
この環境管理システムが展開されるコンピュータ機器のディスプレイには、各種情報入力と処理過程がディスプレイに表示されるようになっている。このディスプレイに表示される画面１１は、図１に示すように、図中の上部にコンピュータ機器に展開されているシステム名を示すタイトル表示領域１２と、このタイトル表示領域１２の図中下側に設けられ、展開されているシステムのメニューを表示するメニュー表示領域１３と、このメニュー表示領域１３の図中下側に設けられ、展開されているシステムのメイン処理プロセスメニューを表示するメインプロセスメニュー表示領域１４、このメインプロセスメニュー表示領域１４の図中左隣で、前記メニュー表示領域１３の図中下側に設けられ、前記展開されているシステムのメイン処理プロセスメニューのサブ処理プロセスメニューを表示するサブプロセスメニュー表示領域１５、前記メインプロセスメニュー表示領域１４とサブプロセスメニュー表示領域１５に囲まれ、前記システムのサブ処理プロセスメニュー毎の具体的な情報を入力するための情報入力項目が表示される情報入力表示領域１６、この情報入力表示領域１６の図中右隣で、前記情報入力表示領域１６を上下方向に移動させる上下キーを表示する上下キー表示領域１７、及び前記情報入力表示領域１６の図中下側で、前記情報入力表示領域１６を左右方向に移動させる左右キーを表示する左右キー表示領域１８からなっている。
【００２１】
前記メインプロセスメニュー表示領域１４には、この環境評価システムを構成する複数のメイン処理プロセスメニューであるＡメニュー１４ａ、Ｂメニュー１４ｂ，Ｃメニュー１４ｃ，及びＤメニュー１４ｄが表示されるようになっている。なお、このＡメニュー１４ａ〜Ｄメニュー１４ｄは、メイン処理プロセスメニューの処理順序に従って表示されるようになっている。
【００２２】
前記サブプロセスメニュー表示領域１５には、前記メインプロセスメニュー表示領域１４に表示されているメイン処理プロセスメニュー１４ａ〜１４ｄの中から選択されたメイン処理プロセスメニューのサブ処理プロセスメニューが表示されるようになっている。例えば、図中のメインプロセスメニュー表示領域１４のＡメニュー１４ａが選択された際に、サブ処理プロセスメニュー表示領域１５にＡメニュー１４ａのサブ処理プロセスメニューであるＡ−１フローメニュー１５ａ，Ａ−２フローメニュー１５ｂ，Ａ−３フローメニュー１５ｃ，Ａ−４フローメニュー１５ｄ，Ａ−５フローメニュー１５ｅが表示されるようになっている。なお、このＡ−１フローメニュー１５ａ〜Ａ−５フローメニュー１５ｅは、サブ処理プロセスメニューの処理順序に従って表示されるようになっている。
【００２３】
前記情報入力表示領域１６には、前記サブプロセスメニュー表示領域１５に表示されているサブ処理プロセスメニュー１５ａ〜１５ｅの中から選択されたサブ処理プロセスメニュー毎の情報入力項目が表示されるようになっている。
【００２４】
例えば、図中のサブプロセスメニュー表示領域１５のＡ−１フローメニュー１５ａが選択された際に、サブ処理プロセスメニューのＡ−１フローメニュー１５ａの情報入力項目であるＡ−１−ａ項目１６ａ，Ａ−１−ｂ項目１６ｂ，及びＡ−１−ｃ項目１６ｃ等が表示されるようになっている。
【００２５】
なお、この情報入力表示欄１６には、前記情報入力項目１６ａ〜１６ｃに入力した情報の追加、変更、及び削除の指示入力を行う追加キー１６ｘ，変更キー１６ｙ，削除キー１６ｚが表示されるようになっている。
【００２６】
即ち、前記メインプロセスメニュー表示領域１４に表示されているメイン処理プロセスメニューであるＡメニュー１４ａ〜Ｄメニュー１４ｄにより、この環境評価システムのメインの処理プロセスメニューとその処理順序が判別可能となる。
【００２７】
このメインプロセスメニュー表示領域１４に表示されているメイン処理プロセスメニュー１４ａ〜１４ｄのいずれかが選択されると、例えば、Ａメニュー１４ａが選択されると、そのＡメニュー１４ａは、反転表示、または他の色に着色表示されて、Ａメニュー１４ａが選択されたことを表示すると共に、サブプロセスメニュー表示領域１５にＡメニュー１４ａのサブ処理プロセスメニューであるＡ−１フローメニュー１５ａ〜Ａ−５フローメニュー１５ｅが表示される。
【００２８】
このサブプロセスメニュー表示領域１５に表示されたサブ処理プロセスメニューであるＡ−１フローメニュー１５ａ〜Ａ−５フローメニュー１５ｅから入力する情報に応じたサブ処理プロセスメニューが選択されると、例えば、Ａ−１フローメニュー１５ａが選択されると、そのＡ−１フローメニュー１５ａは、反転表示、または他の色に着色表示されて、Ａ−１フローメニュー１５ａが選択されたことを表示すると共に、情報入力表示領域１６にＡ−１フローメニュー１５ａで入力する情報項目であるＡ−１−ａ項目１６ａ〜Ａ−１−ｃ項目１６ｃと、追加キー１６ｘ，変更キー１６ｙ，削除キー１６ｚが表示されるようになっている。
【００２９】
この情報入力表示領域１６に表示された情報項目であるＡ−１−ａ項目１６ａ〜Ａ−１−ｃ項目１６ｃに対応した情報を順次入力する。この情報入力表示領域１６に表示されている情報項目に応じて入力した情報を追加したり、変更したり、あるいは削除する際には、前記追加キー１６ｘ，変更キー１６ｙ，及び削除キー１６ｚを用いて追加、変更、並びに削除を行う。
【００３０】
この画面１１に表示されているメインプロセスメニュー表示領域１４に表示されているメイン処理プロセスメニュー１４ａ〜１４ｄから所望のメイン処理プロセスメニューを選択し、その選択されたメイン処理プロセスメニューのサブ処理プロセスメニュー１５ａ〜１５ｅがサブプロセスメニュー表示領域１５に表示され、そのサブプロセスメニュー表示領域１５に表示されたサブ処理プロセスメニュー１５ａ〜１５ｅから所望のサブ処理プロセスメニューを選択すると、その選択したサブ処理プロセスメニューの情報入力項目１６ａ〜１６ｃが情報入力表示領域１６に表示され、その情報項目１６ａ〜１６ｃに応じて、情報入力を行うことができる。
【００３１】
このように構成された環境管理システムの具体的例として、ディスプレイに表示される画面１１のメインプロセスメニュー表示領域１４のＡメニュー１４ａには、例えば、製品名と、その製品を製造する製造ライン及び工程などの製品製造情報入力のメイン処理プロセスメニューが設定され、この製品製造情報入力メイン処理プロセスメニューにおける製品名の入力、その製品の製造ラインや工程の特定等の情報入力のためのサブ処理プロセスメニューがサブプロセスメニュー表示領域１５に表示される。このサブプロセスメニュー表示領域１５に表示された情報入力項目から選択された項目の情報入力項目が情報入力表示領域１６に表示されるようになっている。
【００３２】
前記メインプロセスメニュー表示領域１４のＢメニュー１４ｂには、例えば、製造ラインまたは工程区分毎に使用されるエネルギー資源の特定と、そのエネルギー資源の使用量入力等のエネルギー資源使用量入力メイン処理プロセスメニューが設定され、このエネルギー資源使用量入力処理メイン処理プロセスメニューにおける製造ラインまたは工程区分毎の使用エネルギー資源の選定入力と、所定期間毎で、かつ、エネルギー資源毎の計測データ入力等のためのサブ処理プロセスメニューがサブプロセスメニュー表示領域１５に表示される。このサブプロセスメニュー表示領域１５に表示された情報入力項目から選択された項目の情報入力項目が情報入力表示領域１６に表示されるようになっている。
【００３３】
前記メインプロセスメニュー表示領域１４のＣメニュー１４ｃには、例えば、前記Ｂメニュー１４ｄのサブ処理プロセスメニューの基で入力された製造ラインまたは製造工程毎に入力された使用エネルギー資源データの基で、エネルギー資源毎の使用量算出、その使用したエネルギー資源から発生する廃棄物と廃棄量の分析算出、及びそれら算出されたエネルギー資源と廃棄物量の過去のトレンドとの比較や目標値との比較等の評価を行い、その算出評価結果を帳票やグラフとして出力する帳票メイン処理プロセスメニューが設定され、この帳票メイン処理プロセスメニューにおける製造ラインや製造工程毎のエネルギー資源の使用量算出、廃棄物と廃棄量の分析算出、過去のエネルギー資源の使用量や廃棄物と廃棄量などのトレンドと目標値との比較評価等のサブ処理プロセスメニューが前記サブプロセスメニュー表示領域１５に表示される。このサブプロセスメニュー表示領域１５に表示された情報入力項目から選択された項目の情報入力項目が情報入力表示領域１６に表示されるようになっている。
【００３４】
前記メインプロセスメニュー表示領域１４のＤメニュー１４ｄには、例えば、前記Ａメニュー１４ａ〜Ｃメニュー１４ｃに設定されている情報入力項目以外の情報を入力する場合に、その新たな情報入力項目等を設定するためのオプション情報が設定されており、このオプション情報から所望の情報入力項目の追加、あるいは、新たな情報入力と新たな環境に関連する算出評価の追加が行えるようになっている。
【００３５】
以上説明したように、本発明の環境情報入力方法は、現在情報入力している状態が環境評価システムのメイン処理プロセス１４ａ〜１４ｂの中の位置づけと、サブ処理プロセスメニューの位置づけが明確に表示認識可能となる。
【００３６】
また、このような画面１１を用いて情報入力する際に、特に、前記サブプロセスメニュー表示領域１５と情報入力表示領域１６の表示スペースの関係から、前記情報入力表示領域１６に表示される情報入力項目１６ａ〜１６ｄが多く、かつ、それぞれの情報入力のデータが大きい場合、一部の情報入力項目や情報入力エリアが画面１１から欠ける場合、例えば、図１に示すように、情報入力表示エリア１６に表示されているＡ−１−ｃ項目１６ｃの情報入力エリアが一部欠けてしまう場合がある。
【００３７】
このような場合には、前記画面１１の左右キー１８で前記情報入力表示領域１６を左方向に移動表示させたり、または、前記画面１１の前記サブプロセスメニュー表示領域１５に、このサブプロセスメニュー表示領域１５を最小化する最小化アイコン１５ｘを設け、この最小化アイコン１５ｘが選択されると、このサブプロセスメニュー領域１５を図２に示すように、最小化し、かつ、前記情報入力表示領域１６を最小化されたサブプロセスメニュー表示領域１５が表示された位置まで移動拡大表示することで、前記画面１１から欠けていた前記Ａ−１−ｃ項目の情報入力エリアの全域を表示させるようにする。これにより、情報入力表示領域１６の拡大表示が可能となる。
【００３８】
なお、この情報入力表示領域１６に表示される情報入力項目１６ａ〜１６ｃが多く、この情報入力表示領域１６の画面１１の下方向に隠れている場合は、前記上下キー１７を用いて前記情報入力表示領域１６を上方向にスクロールすることで、情報入力項目の表示と情報入力が可能となる。
【００３９】
また、前述したように、前記メインプロセスメニュー表示領域１４に表示されているメイン処理プロセスメニュー１４ａ〜１４ｄから所望のメイン処理プロセスメニューが選択され、その選択されたメイン処理プロセスメニューのサブ処理プロセスメニューが表示されたサブプロセスメニュー表示領域１５から表示された順にサブ処理プロセスメニュー１５ａ〜１５ｅを選択して情報入力表示領域１６に表示された情報入力項目１６ａ〜１６ｃの基で情報入力された際に、前記サブプロセスメニュー表示領域１５に表示されているサブ処理プロセスメニュー１５ａ〜１５ｅの最後のサブ処理プロセスメニュー１５ｅの情報入力が終了すると、前記メインプロセス表示領域１４に表示されている次のメイン処理プロセスメニューに処理を自動的に移行するようになっている。
【００４０】
つまり、メインプロセンスメニュー表示領域１４のＡメニュー１４ａが選択され、このＡメニュー１４ａの選択により、サブプロセスメニュー表示領域１５にサブ処理プロセスメニューであるＡ−１フローメニュー１５ａ〜Ａ−５フローメニュー１５ｅが表示され、このＡ−１フローメニュー１５ａ〜Ａ−５フローメニュー１５ｅを順次選択されて、それらＡ−１フローメニュー１５ａ〜Ａ−５フローメニュー１５ｅの情報入力が終了すると、前記メイン処理プロセスメニューのＡメニュー１４ａからＢメニュー１４ｂへと自動移行させる。
【００４１】
これにより、あるメイン処理プロセスメニューのサブ処理プロセスメニューの情報入力が終了すると自動的に次のメイン処理プロセスメニューに移行し、その移行先のメイン処理プロセスメニューのサブ処理プロセスメニューが表示される。その表示された移行先のメイン処理プロセスメニューのサブ処理プロセスメニューに従い情報入力が可能となる。
【００４２】
この結果、現在入力及び処理されているメイン処理プロセスメニューとサブ処理プロセスメニューが明確に把握することができる。
【００４３】
更に、この環境評価システムには、前記メインプロセスメニュー表示領域１４に表示されているメイン処理プロセスメニュー１４ａ〜１４ｄから選択されたメイン処理プロセスメニューのサブ処理プロセスメニュー１５ａ〜１５ｅがサブプロセスメニュー表示領域１５に表示され、そのサブプロセスメニュー表示領域１５に表示されたサブ処理プロセスメニュー１５ａ〜１５ｅから選択されたサブ処理プロセスメニューの情報入力項目１６ａ〜１６ｃが情報入力表示領域１６されて、所定の情報入力作業が行われている場合に、その情報入力の入力方法や、入力される情報の定義等に疑問が生じた際に、その疑問に応ずるためのヘルプ情報を内蔵させている。
【００４４】
この情報入力時に、疑問が生じた際には、図３に示すように、前記メインプロセスメニュー表示領域１４に表示されているメイン処理プロセスメニュー１４ａ〜１４ｄのうち、現在情報入力中のメイン処理プロセスメニュー１４ａ〜１４ｄをダブルクリックすると、そのダブルクリックされたメイン処理プロセスメニュー１４ａ〜１４ｄのヘルプ情報を読み出し、前記情報入力表示領域１６にヘルプ画面１９を表示させる。
【００４５】
この結果、情報入力されているメイン処理プロセスメニューの疑問がヘルプ画面１９から速やかに解消させることができる。
【００４６】
以上説明したように、本発明の環境情報入力方法は、環境評価するための環境評価システムにおいて、システムを構成する複数のメイン処理プロセスメニューを処理順序毎に表示させ、そのメイン処理プロセスメニューを選択する毎に、その選択されたメイン処理プロセスメニューの複数のサブ処理プロセスメニューを処理順序毎に表示させ、選択された前記メイン処理プロセスメニューとサブ処理プロセスメニューの基で必要な情報入力項目を表示させることで、処理プロセス毎の入力情報内容と、現在入力処理されている情報の全体システムの中での位置づけが明確となり、環境評価処理の進行状況もタイムリーに的確に把握できるようになった。
【００４７】
【発明の効果】
本発明の環境情報入力方法は、環境評価システムにおいて、メインプロセスメニューとサブプロセスメニューの表示領域から現在処理されているプロセス毎に必要されている入力情報内容と、全体システムの中での位置づけが明確となり、環境評価処理の進行状況もタイムリーに的確に把握できる効果を有している。
【図面の簡単な説明】
【図１】本発明に係る環境情報入力方法の一実施形態である情報入力用の画面構成を示す平面図。
【図２】本発明に係る環境情報入力方法の一実施形態である情報入力用の画面において、ある処理プロセスの情報入力状態を説明する説明図。
【図３】本発明に係る環境情報入力方法の一実施形態である情報入力用の画面にヘルプ情報を表示する状態を説明する説明図。
【符号の説明】
１１…ディスプレイ画面、１４…メインプロセスメニュー表示領域、１５…サブプロセスメニュー表示領域、１６…情報入力表示領域、１９…ヘルプ情報表示領域。
【図１】
2005025354.tif 000003
【図２】
2005025354.tif 000004
【図３】
2005025354.tif 000005